(57)【要約】【課題】内部の設備機器から発生する騒音を効率的に遮音することができる屋外設置型設備機器収納ボックスを提供することにある。【解決手段】収納ボックス本体４は、少なくとも両側壁６，８、前面壁５、背面壁７及び天井壁９によって内部空間１２を構成し、両側壁、前面壁、背面壁及び天井壁は、内側パネル１３と、この内側パネルの外側に空気層１５を介して取付けられる外側パネル１４の二重壁構造であり、収納ボックス本体の内部には一端が外部に開口し、他端に内部空間に開口する空気導入換気ダクト２２と、収納ボックス本体の内部には一端が内部空間に開口し、他端が外部に開口するとともに内部に排気ファン３６を設けた空気排出換気ダクト２３とを設けたことを特徴とする。【選択図】図１
2005076405.tif 000002
【特許請求の範囲】
【請求項１】
屋外に設置され、少なくとも一箇所に開閉扉を有する出入口を備え、内部に設備機器を収納する屋外設置型設備機器収納ボックスにおいて、
収納ボックス本体は、少なくとも両側壁、前面壁、背面壁及び天井壁によって内部空間を構成し、前記両側壁、前面壁、背面壁及び天井壁は、内側パネルと、この内側パネルの外側に空気層を介して取付けられる外側パネルの二重壁構造であり、
前記収納ボックス本体の内部には一端が外部に開口し、他端に内部空間に開口する空気導入換気ダクトと、前記収納ボックス本体の内部には一端が内部空間に開口し、他端が外部に開口するとともに内部に排気ファンを設けた空気排出換気ダクトとを設けたことを特徴とする屋外設置型設備機器収納ボックス。
【請求項２】
前記内側パネル及び外側パネルは、その内面に遮音材が貼着された遮音構造であることを特徴とする請求項１記載の屋外設置型設備機器収納ボックス。
【請求項３】
前記空気導入換気ダクトと空気排出換気ダクトの少なくとも一方は、断面矩形状のボックス構造で、その互いに対向する内面間に仕切り板を長手方向に配置して迂回した空気通路を形成するとともに、ダクト内面と前記仕切り板に所定間隔を存して反対側に向かって突出する複数の突出片を有し、向い合う突出片は互いに反対側の突出片の間に位置してオーバラップし、内部に蛇行した空気通路を形成し、前記ダクトの内面、仕切り板及び突出片の表面に遮音材を貼着したことを特徴とする請求項１記載の屋外設置型設備機器収納ボックス。
【請求項４】
前記開閉扉は、内側パネルと外側パネルとの間に空気層を設けた二重壁構造で、一側縁が前記前面壁に蝶番によって開閉自在に枢支された扉本体と、この扉本体の他側縁に軸心を中心として回動自在に設けられ、上下方向の両端部に前記前面壁に設けられたキーパーにロックされるフックを有し、前記扉本体を閉扉状態に保持する扉ロック用パイプと、前記扉本体の一部に設けられた開口窓と、一側縁に前記開口窓に蝶番によって枢支され前記開口窓を開閉する鍵付き外側小扉及び内側小扉と、前記鍵付き外側小扉と内側小扉との間に設けられ、前記内側小扉を開放することにより、前記扉ロック用パイプをその軸心を中心として回動させ、前記扉本体のロックを解除可能なロック解除レバーとから構成されていることを特徴とする請求項１記載の屋外設置型設備機器収納ボックス。
【発明の詳細な説明】
【技術分野】
【０００１】
この発明は、例えば、都市ガスの高圧ラインから中圧Ａライン、中圧Ｂライン、低圧ラインに圧力を下げ、ガス需要側へガスを供給する高圧ガバナ等の設備機器を収納する屋外設置型設備機器収納ボックスに関する。
【背景技術】
【０００２】
ガス供給側からガス需要側へガスを供給するガス供給配管の途中に設置され、ガスの圧力を下げる高圧ガバナは、その作動時に騒音が発生するという問題がある。そこで、高圧ガバナは、一般に屋外に設置された収納ボックスに収納され、高圧ガバナから発生する騒音ができるだけ外部に漏れないようにしている。
【０００３】
収納ボックス本体は、地上に施工した基礎コンクリートからなる基台に設置される立方体もしくは直方体形状で、両側壁、前面壁、背面壁及び天井壁によって内部空間を構成している。また、これら両側壁、前面壁、背面壁及び天井壁は、通常はアルミニウムパネルの結合体であり、その内面には遮音材、吸音材が貼着されている。
【０００４】
また、前面壁には開閉扉を備えた出入口が設けられ、作業者が収納ボックスの内部に入って高圧ガバナの保守点検作業ができるようになっている。従って、収納ボックスの内部には外気を内部空間に導入する換気ダクトが設けられ、また内部空間の空気を外部に排出するための排気ファンを備えた換気ダクトが設けられている。
【０００５】
また、従来の防音換気ダクトにおいて、細長い換気筒内に多数のバッファを千鳥状に設けて屈曲する長い換気路を形成するとともに、その換気路の壁面に吸音材を被覆したものが知られている（例えば、特許文献１参照。）。
【特許文献１】特開平５−３０２３６９号公報
【発明の開示】
【発明が解決しようとする課題】
【０００６】
しかしながら、前述したように、収納ボックス本体の両側壁、前面壁、背面壁及び天井壁は、アルミニウムパネルの結合体であり、その内面に遮音材、吸音材を貼着しても、十分な遮音・防音構造ではない。しかも、作業者が収納ボックスの内部に入って高圧ガバナの保守点検作業ができるようになっているため、密閉構造とすることはできず、換気ダクトを設け、外気を内部空間に導入し、また内部空間の空気を外部に排出する換気構造となっている。従って、換気ダクトから騒音が外部に漏れるという問題があり、高圧ガバナ収納ボックスの設置場所が制限されるという問題がある。
【０００７】
また、特許文献１に記載された防音換気ダクトは、防音効果があるが、この防音換気ダクトを高圧ガバナ等が収納される屋外設置型設備機器収納ボックスに採用したものは知られていない。
【０００８】
この発明は、前記事情に着目してなされたもので、その目的とするところは、内部の設備機器から発生する騒音を効率的に遮音することができ、収納ボックスの設置場所が制限されることはない屋外設置型設備機器収納ボックスを提供することにある。
【課題を解決するための手段】
【０００９】
この発明は、前記目的を達成するために、請求項１は、屋外に設置され、少なくとも一箇所に開閉扉を有する出入口を備え、内部に設備機器を収納する屋外設置型設備機器収納ボックスにおいて、収納ボックス本体は、少なくとも両側壁、前面壁、背面壁及び天井壁によって内部空間を構成し、前記両側壁、前面壁、背面壁及び天井壁は、内側パネルと、この内側パネルの外側に空気層を介して取付けられる外側パネルの二重壁構造であり、前記収納ボックス本体の内部には一端が外部に開口し、他端に内部空間に開口する空気導入換気ダクトと、前記収納ボックス本体の内部には一端が内部空間に開口し、他端が外部に開口するとともに内部に排気ファンを設けた空気排出換気ダクトとを設けたことを特徴とする。
【００１０】
請求項２は、請求項１の前記内側パネル及び外側パネルは、その内面に遮音材が貼着された遮音構造であることを特徴とする。
【００１１】
請求項３は、請求項１の前記空気導入換気ダクトと空気排出換気ダクトの少なくとも一方は、断面矩形状のボックス構造で、その互いに対向する内面間に仕切り板を長手方向に配置して迂回した通路を形成するとともに、ダクト内面と前記仕切り板に所定間隔を存して反対側に向かって突出する複数の突出片を有し、向い合う突出片は互いに反対側の突出片の間に位置してオーバラップし、内部に蛇行した空気通路を形成し、前記ダクトの内面、仕切り板及び突出片の表面に遮音材を貼着したことを特徴とする。
【００１２】
請求項４は、請求項１の前記開閉扉は、内側パネルと外側パネルとの間に空気層を設けた二重壁構造で、一側縁が前記前面壁に蝶番によって開閉自在に枢支された扉本体と、この扉本体の他側縁に軸心を中心として回動自在に設けられ、上下方向の両端部に前記前面壁に設けられたキーパーにロックされるフックを有し、前記扉本体を閉扉状態に保持する扉ロック用パイプと、前記扉本体の一部に設けられた開口窓と、一側縁に前記開口窓に蝶番によって枢支され前記開口窓を開閉する鍵付き外側小扉及び内側小扉と、前記鍵付き外側小扉と内側小扉との間に設けられ、前記内側小扉を開放することにより、前記扉ロック用パイプをその軸心を中心として回動させ、前記扉本体のロックを解除可能なロック解除レバーとから構成されていることを特徴とする。
【００１３】
前記構成によれば、収納ボックス本体を構成する前面壁、左側面壁、背面壁、右側面壁及び天井壁は、内側パネルと外側パネルとの二重パネル構造で、その内部には空気層が設けられている。さらに、内側パネル及び外側パネルの内面には遮音材が貼着されている。従って、高圧ガバナ装置等の設備機器から発生する騒音を遮音・吸音することができる。
【００１４】
さらに、収納ボックス本体の内部空間側には空気導入換気ダクトと空気排出換気ダクトが設けられ、空気排出換気ダクトには排気ファンが設けられている。この排気ファンの駆動によって外気が空気導入換気ダクトを介して内部空間に導入され、内部空間内の空気は空気排出換気ダクトから外部に排気されている。従って、内部空間内は常時換気され、作業者が収納ボックス本体の内部に入って設備機器の保守・点検を行う場合においても快適な作業環境で作業できる。
【００１５】
また、収納ボックスの内部空間から内側小扉を開放し、ロック解除レバーを握って回動することにより、開閉扉のロック状態を解除できる。従って、収納ボックスの内部に作業者が入って作業中に、誤って開閉扉が閉じられても、ロック解除レバーによって開閉扉のロックを解除して開閉扉を開放することができる。
【発明の効果】
【００１６】
この発明によれば、内部の設備機器から発生する騒音を効率的に遮音することができ、収納ボックスの設置場所が制限されることはない屋外設置型設備機器収納ボックスを提供できる。
【００１７】
また、収納ボックスの内部空間から内側小扉を開放し、ロック解除レバーを握って回動することにより、開閉扉のロック状態を解除できる。従って、収納ボックスの内部に作業者が入って作業中に、誤って開閉扉が閉じられても、ロック解除レバーによって開閉扉のロックを解除して開閉扉を開放することができる。
【発明を実施するための最良の形態】
【００１８】
以下、この発明の実施の形態を図面に基づいて説明する。
【００１９】
図１〜図７は屋外設置型設備機器収納ボックスの第１の実施形態を示し、（ａ）は正面図、（ｂ）は左側面図、（ｃ）は背面図、（ｄ）は右側面図、（ｅ）は平面図である。図１に示すように、地上に施工された基礎コンクリートからなる基台１は、底部２の周囲には鉛直方向に立設する周壁部３が設けられている。
【００２０】
基台１の周壁部３には収納ボックス本体４が設置され、基台１と収納ボックス本体４とはアンカーボルト（図示しない）によって結合されている。収納ボックス本体４は、前面壁５、左側面壁６、背面壁７、右側面壁８及び天井壁９からなる。前面壁５には作業者の出入口１０が設けられ、この出入口１０には開閉扉１１が設けられている。
【００２１】
図２（ａ）は収納ボックス本体の縦断正面図、図２（ｂ）はＡ部の拡大図、図２（ｃ）はＢ部の拡大図、図３（ａ）は収納ボックス本体の横断平面図、図３（ｂ）はＣ部の拡大図、図３（ｃ）はＤ部の拡大図、図３（ｄ）はＥ部の拡大図である。
【００２２】
図２（ａ）（ｂ）及び図３（ａ）〜（ｅ）に示すように、基台１の底部２と収納ボックス本体４の前面壁５、左側面壁６、背面壁７、右側面壁８及び天井壁９に囲まれた内部空間１２が設けられている。前面壁５、左側面壁６、背面壁７、右側面壁８及び天井壁９は、例えば、アルミニウムパネルからなる内側パネル１３と、この内側パネル１３の外側に取付けられたアルミニウムパネルからなる外側パネル１４との二重壁構造であり、両パネル１３，１４間には空気層１５が設けられている。
【００２３】
内側パネル１３は、所定のサイズのパネルの両端部を直角に折曲し、その折曲片１６同士を接合し、ボルト・ナット１７によって結合することにより構成されている。外側パネル１４は、所定のサイズのパネルの両端部を直角に折曲し、さらに、その折曲片１８の先端部を直角に折曲して形成した取付け片１９をリベット２０によって内側パネル１３に結合することにより構成されている。また、内側パネル１３及び外側パネル１４の内面にはウレタンフォーム等の遮音材（吸音材）２１が貼着されている。
【００２４】
さらに、収納ボックス本体４の左側面壁６の内部空間１２側には空気導入換気ダクト２２が設けられ、右側面壁８の内部空間１２側には空気排出換気ダクト２３が設けられている。
【００２５】
空気導入換気ダクト２２は、図４（ａ）（ｂ）に示すように、２枚のパネルを接合した二重構造で、その断面が矩形状のボックス構造である。空気導入換気ダクト２２は左側面壁６の低所に前面壁５の近傍から背面壁７の近傍に亘って横方向に取付けられている。
【００２６】
空気導入換気ダクト２２の一端は左側面壁６に設けられ、外部と連通する第１の空気導入口２４に連通し、他端は内部空間１２に連通する第２の空気導入口２５に連通している。第１の空気導入口２４は、外側パネル１４に開口する開口部２４ａと内側パネル１３に開口する開口部２４ｂとが上下にシフトしており、開口部２４ａは外側パネル１４に穿設した多数の小孔から構成されている。
【００２７】
さらに、空気導入換気ダクト２２の互いに対向する内面、本実施形態においては、上部と下部には所定間隔を存して反対側の内面に向かって突出する複数の突出片２７が設けられている。そして、上下に向い合う突出片２７は互いに反対側の突出片２７の間に位置してオーバラップし、ダクト内部に上下方向に蛇行した空気通路２８が形成されている。さらに、空気導入換気ダクト２２の内面及び突出片２７の表面にウレタンフォーム等の遮音材（吸音材）２９が貼着されている。
【００２８】
空気排出換気ダクト２３も、図４（ｃ）（ｄ）に示すように、２枚のパネルを接合した二重構造で、その断面が矩形状のボックス構造である。空気排出換気ダクト２３は右側面壁８の高所に前面壁５の近傍から背面壁７の近傍に亘って横方向に取付けられている。ここで、空気排出換気ダクト２３を収納ボックス本体４の右側面壁８の高所に設けた理由は、収納ボックス本体４の内部空間１２に高圧ガバナを設置し、何らかの事由により高圧ガバナから都市ガスが漏洩した場合、都市ガスは空気より軽いため上昇するが、その漏洩した都市ガスを高所に設置した空気排出換気ダクト２３から効率的に外部へ排気することができるからである。
【００２９】
空気排出換気ダクト２３の一端は右側面壁８に設けられ、内部空間１２と連通する第１の空気排出口３０が設けられ、他端は外部に連通する第２の空気排出口３１に連通している。第２の空気排出口３１は、図１（ｄ）に示すように、外側パネル１４に開口する開口部３１ａと内側パネル１３に開口する開口部３１ｂとが上下にシフトしており、開口部３１ａは外側パネル１４に穿設した多数の小孔から構成されている。
【００３０】
さらに、空気排出換気ダクト２３の互いに対向する内面、本実施形態においては、図４（ｄ）に示すように、上部と下部には所定間隔を存して反対側の内面に向かって突出する複数の突出片３３が設けられている。そして、上下に向い合う突出片３３は互いに反対側の突出片３３の間に位置してオーバラップし、ダクト内部に上下方向に蛇行した空気通路３４が形成されている。さらに、空気排出換気ダクト２３の内面及び突出片３３の表面にウレタンフォーム等の遮音材（吸音材）３５が貼着されている。また、内部空間１２と連通する第１の空気排出口３０には内部空間１２の空気を強制的に外部へ排気するための排気ファン３６が設けられている。
【００３１】
前記前面壁５の出入口１０に設けられた開閉扉１１は、図３（ａ）〜（ｅ）に示すように、内側パネル３７と外側パネル３８との間に空気層３９を設けた二重構造の扉本体１１ａで、内側パネル３７と外側パネル３８の内面にはウレタンフォーム等の遮音材（吸音材）４０が貼着されている。
【００３２】
開閉扉１１の一側部は前面壁５に設けられた蝶番４１によって開閉自在に枢支されている。また、出入口１０の内周縁部には段差からなる扉受け面４２が設けられ、開閉扉１１の内面には閉扉時に扉受け面４２に対して密着してシールされるガスケット４３が設けられている。
【００３３】
さらに、図５（ａ）〜（ｅ）に示すように、開閉扉１１の自由端側における内部には縦方向に扉ロック用パイプ４４が設けられ、この扉ロック用パイプ４４の上下両端部は開閉扉１１のパイプ受け部４５に対して回転自在に支持されている。パイプエンド４６にはフック４７が設けられ、このフック４７に対応する前面壁５にはキーパー４８がボルト４９によって固定されている。従って、開閉扉１１を閉じることにより、フック４７がキーパー４８に係合して閉扉状態にロックされるようになっている。
【００３４】
開閉扉１１の略中央部には矩形状の開口窓５０が設けられている。この開口窓５０には、図６（ａ）（ｂ）及び図７（ａ）（ｂ）に示すように、鍵付き外側小扉５１と内側小扉５２が設けられている。鍵付き外側小扉５１は、開閉扉１１の外側に位置し、開口窓５０の開口縁部に蝶番５３によって開閉自在に枢支されている。鍵付き外側小扉５１の自由端部には鍵５４が設けられ、この鍵５４にはロック爪５５が設けられている。ロック爪５５は開口窓５０の内側に設けられたロック受け部５６に対して係脱可能であり、キー（図示しない）を鍵５４に差し込んで回転することにより、ロック爪５５をロック受け部５６に対して係脱できるようになっている。
【００３５】
内側小扉５２は開閉扉１１の内側に位置し、開口窓５０の開口縁部に蝶番５７によって開閉自在に枢支されている。内側小扉５２の自由端部にはハンドル５８が設けられ、このハンドル５８を摘んで開閉できるようになっている。
【００３６】
さらに、鍵付き外側小扉５１と内側小扉５２との間には前記扉ロック用パイプ４４に一端部が固定されたロック解除レバー５９が設けられている。従って、内部空間１２側から内側小扉５２を開放し、ロック解除レバー５９を握って回動することにより、フック４７とキーパー４８とのロック状態を解除できるようになっている。従って、収納ボックス本体４の内部に作業者が入って作業中に、誤って開閉扉１１が閉じられても、ロック解除レバー５９によってフック４７とキーパー４８とのロックを解除して開閉扉１１を開放することができる。
【００３７】
次に、前述のように構成された屋外設置型設備機器収納ボックスの作用について説明する。
【００３８】
収納ボックス本体４の内部空間１２の底部２には、例えばガス供給側からガス需要側へガスを供給するガス供給配管の途中に設けられ、ガスの圧力を下げる高圧ガバナ装置（図示しない）が設置される。この高圧ガバナ装置は、作動時に騒音が発生し、この騒音が外部に漏れるため、設置場所も限られていたが、前述のように構成された収納ボックス本体４に収納することにより、騒音を遮音・吸音して外部に漏れる音を低減することができる。
【００３９】
すなわち、収納ボックス本体４を構成する前面壁５、左側面壁６、背面壁７、右側面壁８及び天井壁９は、内側パネル１３と外側パネル１４との二重パネル構造で、その内部には空気層１５が設けられている。さらに、内側パネル１３及び外側パネル１４の内面には遮音材（吸音材）２１が貼着されている。また、出入口１０を開閉する開閉扉１１は、内側パネル３７と外側パネル３８との間に空気層３９を設けた二重構造で、内側パネル３７と外側パネル３８の内面には遮音材（吸音材）４０が貼着されている。従って、高圧ガバナ装置から発生する騒音を遮音・吸音することができる。
【００４０】
さらに、収納ボックス本体４の内部空間１２側には空気導入換気ダクト２２と空気排出換気ダクト２３が設けられ、空気排出換気ダクト２３には排気ファン３６が設けられている。この排気ファン３６の駆動によって外気が空気導入換気ダクト２２を介して内部空間１２に導入され、内部空間１２内の空気は空気排出換気ダクト２３から外部に排気されている。従って、内部空間１２内は常時換気され、作業者が収納ボックス本体４の内部に入って高圧ガバナ装置の保守・点検を行う場合においても快適な作業環境で作業できる。
【００４１】
しかも、空気導入換気ダクト２２の内部は突出片２７によって蛇行した空気通路２８が形成され、空気排出換気ダクト２３の内部は突出片３３によって蛇行した空気通路３４が形成されている。従って、ダクト２２，２３の長さの略２倍の空気通路２８，３４とすることができ、しかも、内面には遮音材（吸音材）２９，３５が貼着されているため、遮音・吸音効果が一層向上するという効果がある。
【００４２】
図８は第２の実施形態を示し、空気導入換気ダクト２２または空気排出換気ダクト２３として用いられるダクト本体６０であり、断面が角筒状で、一端に閉塞部６１、他端に開口部６２を有する横方向に長い空気通路６３が形成されている。このダクト本体６０の内部には開口部６２側から閉塞部６１の近傍まで仕切り板６４が設けられ、この仕切り板６４によって空気通路６３が往路６３ａと復路６３ｂに区画されている。さらに、閉塞部６１と仕切り板６４の先端との間には折返し部６３ｃが形成されている。
【００４３】
また、ダクト本体６０の内面と仕切り板６４の側面には所定間隔を存して反対側の内面に向かって突出する複数の突出片６５が設けられている。そして、上下に向い合う突出片６５は互いに反対側の突出片６５の間に位置してオーバラップし、ダクト内部に上下方向に蛇行した空気通路６３が形成されている。さらに、ダクト本体６０の内面及び突出片６５の表面にウレタンフォーム等の遮音材（吸音材）６６が貼着されている。
【００４４】
従って、空気導入口６７から導入された空気は往路６３ａ、折返し部６３ｃ、復路６３ｃの順に流れて空気導出口６８から導出されるため、ダクト本体６０の長さの略２倍の長さの空気通路６３が形成される。しかも、内面には遮音材（吸音材）６６が貼着されているため、遮音・吸音効果が一層向上するという効果がある。
【００４５】
なお、前記実施形態においては、ガスの圧力を下げる高圧ガバナ装置を設置する屋外設置型設備機器収納ボックスについて説明したが、この発明は、騒音を発生するあらゆる設備機器の収納ボックスとして有効であり、また騒音を発生しない設備機器の収納ボックスとしても適用できる。
【図面の簡単な説明】
【００４６】
【図１】この発明の第１の実施形態の屋外設置型設備機器収納ボックスを示し、（ａ）は正面図、（ｂ）は左側面図、（ｃ）は背面図、（ｄ）は右側面図、（ｅ）は平面図。
【図２】同実施形態を示し、（ａ）は収納ボックス本体の縦断正面図、図２（ｂ）はＡ部の拡大図、図２（ｃ）はＢ部の拡大図。
【図３】同実施形態を示し、（ａ）は収納ボックス本体の横断平面図、図３（ｂ）はＣ部の拡大図、図３（ｃ）はＤ部の拡大図、図３（ｄ）はＥ部の拡大図。
【図４】同実施形態を示し、（ａ）は空気導入ダクトの側面図、（ｂ）はＡ−Ａ線に沿う断面図、（ｃ）は空気導出ダクトの縦断平面図、（ｄ）は空気導出ダクトの断面図。
【図５】同実施形態を示し、（ａ）は開閉扉の正面図、（ｂ）は開閉扉の横断平面図、（ｃ）はＦ部を拡大した縦断側面図、（ｄ）はＢ−Ｂ線に沿う断面図、（ｅ）はＧ部を拡大して示す縦断側面図。
【図６】同実施形態を示し、（ａ）は鍵付き小扉の横断平面図、（ｂ）はＣ−Ｃ線に沿う断面図。
【図７】同実施形態を示し、（ａ）は内側小扉の正面図、（ｂ）は鍵付き小扉及び内側小扉を開放した状態を示す横断平面図。
【図８】この発明の第２の実施形態を示し、ダクトの縦断正面図。
【符号の説明】
【００４７】
４…収納ボックス本体、５…前面壁、６…左側面壁、７…背面壁、８…右側面壁、９…天井壁、１０…出入口、１１…開閉扉、１１ａ…扉本体、１２…内部空間、１３…内側パネル、１４…外側パネル、１５…空気層、２２…空気導入換気ダクト、２３…空気排出換気ダクト、３６…排気ファン、３７…内側パネル、３８…外側パネル、３９…空気層、４４…扉ロック用パイプ、５０…開口窓、５１…鍵付き外側小扉、５２…内側小扉、５９…ロック解除レバー
【図１】
2005076405.tif 000003
【図２】
2005076405.tif 000004
【図３】
2005076405.tif 000005
【図４】
2005076405.tif 000006
【図５】
2005076405.tif 000007
【図６】
2005076405.tif 000008
【図７】
2005076405.tif 000009
【図８】
2005076405.tif 000010